(57)【特許請求の範囲】
【請求項１】
パチンコ機の機内に設けられかつパチンコ球が通行する球通路と、その球通路中のパチンコ球を順送りする球送り部材と、前記球通路のパチンコ球をクリーニングするクリーニング部材とを備えたパチンコ機における球磨き装置であって、
前記球通路は、パチンコ球がＵターン状に折り返して通行する折り返し通路と、その折り返し通路へパチンコ球を進入させる進入通路と、前記折り返し通路を通り抜けたパチンコ球を所定位置まで通行させる脱出通路と、を備え、
前記球送り部材は、前記折り返し通路へ進入したパチンコ球を順送りするために前記折り返し通路に設けられ、
前記クリーニング部材は、前記球送り部材の上方に位置し、かつ前記進入通路と前記脱出通路と間に回転可能に配設されると共に、前記進入通路を通行するパチンコ球と、前記脱出通路を通行するパチンコ球とにそれぞれ接しかつ各パチンコ球の進行方向へ回転されることで、前記球通路を通行するパチンコ球が、前記クリーニング部材によって重複してクリーニングされるように構成されていることを特徴とするパチンコ機における球磨き装置。
【発明の詳細な説明】
【０００１】
【産業上の利用分野】
この発明はパチンコ機において、パチンコ球をクリーニングするための球磨き装置に関する。
【０００２】
【従来の技術】
従来の技術としては例えば特開平５−３１２２３号公報がある。この公報には貯留誘導部のパチンコ球をクリーニングする紐状のクリーニング部材を備えた球磨き機構が開示されている。
【０００３】
【発明が解決しようとする課題】
本発明はクリーニング部材による球磨き動作を円滑化して球磨き効果を向上させることを課題とするものである。
【０００４】
【課題を解決するための手段】
この発明の請求項１に係るパチンコ機における球磨き装置は、パチンコ機の機内に設けられかつパチンコ球が通行する球通路と、その球通路中のパチンコ球を順送りする球送り部材と、前記球通路のパチンコ球をクリーニングするクリーニング部材とを備えたパチンコ機における球磨き装置であって、
前記球通路は、パチンコ球がＵターン状に折り返して通行する折り返し通路と、その折り返し通路へパチンコ球を進入させる進入通路と、前記折り返し通路を通り抜けたパチンコ球を所定位置まで通行させる脱出通路と、を備え、
前記球送り部材は、前記折り返し通路へ進入したパチンコ球を順送りするために前記折り返し通路に設けられ、
前記クリーニング部材は、前記球送り部材の上方に位置し、かつ前記進入通路と前記脱出通路と間に回転可能に配設されると共に、前記進入通路を通行するパチンコ球と、前記脱出通路を通行するパチンコ球とにそれぞれ接しかつ各パチンコ球の進行方向へ回転されることで、前記球通路を通行するパチンコ球が、前記クリーニング部材によって重複してクリーニングされるように構成されていることを特徴とする。
【０００５】
【作用】
請求項１の発明では、折り返し通路に設けられた球送り部材によってパチンコ球が球通路の進入通路、折り返し通路及び脱出通路に順送りされる。
球送り部材の上方に位置するクリーニング部材は、進入通路を通行するパチンコ球と、脱出通路を通行するパチンコ球とにそれぞれ接しかつ各パチンコ球の進行方向へ回転されることで、球通路を通行するパチンコ球が、クリーニング部材によって重複してクリーニングされる。
【０００６】
【発明の効果】
請求項１によれば、球通路を通行する各パチンコ球をクリーニング部材の回転動作によって摺接抵抗を少くした状態で円滑にクリーニングすることができ、各パチンコ球に対する球磨き効果を高めて各パチンコ球を効果的に清浄化することができる。
【０００７】
また、クリーニング部材のパチンコ球に接する位置が常に変化するので、各パチンコ球に対する球磨き効果を均一化することができるとともに、クリーニング部材の各部の汚れ状態が平均化するので、クリーニング部材の交換頻度を少くすることができる。
【０００８】
また、クリーニング部材は、進入通路を通行するパチンコ球と、脱出通路を通行するパチンコ球とにそれぞれ接しかつ各パチンコ球の進行方向へ回転されることで、球通路を通行するパチンコ球を、クリーニング部材によって重複してクリーニングすることができる。
【０００９】
【実施例】
次に、本発明の第１実施例を図１〜図５にしたがって説明する。
機内に封入されて機内を繰り返し循環する一定個数のパチンコ球によってゲームが行われる循環式パチンコ機において、パチンコ球Ｐが循環する循環流路を有する循環式パチンコ機はパチンコ球Ｐを順次発射させて遊技盤面の遊技域へ打ち出す球発射起点２と、この球発射起点２から遊技域へ打ち出されて遊技盤の裏側へ誘導されたセーフ球およびアウト球を回収する裏回収部３と、発射後逆流したファール球を回収する表回収部４と、裏回収部３の下流に配設され、裏回収部３に回収されたパチンコ球Ｐを集めて貯留し、必要時に必要個数のパチンコ球を順次給送する球貯留給送ユニット５と、この球貯留給送ユニット５から送り出されたパチンコ球Ｐおよび表回収部４から送り込まれたパチンコ球Ｐを受入れて先下り状態で１列に整列させて待機させ、待機中のパチンコ球Ｐを打球毎に球発射起点２へ順次送り込む球待機給送部６とを備えている。
【００１０】
パチンコ機内に封入された各パチンコ球Ｐは球発射起点２→遊技域→裏回収部３→球貯留給送ユニット５→球待機給送部６→球発射起点２の順にパチンコ機内の循環流路を経てパチンコ機内を循環するか、若しくは球発射起点２→表回収部４→球待機給送部６→球発射起点２の順にパチンコ機内の循環流路を経てパチンコ機内を循環する。
【００１１】
パチンコ機の表枠の後面に装着されて遊技盤が枠内にセットされる基枠７の下部には遊技盤の下方に垂立されたセット板８が形成されるとともに、基枠７の上部および中央部には遊技盤をその背後からカバーする裏カバー枠９が回動可能に結合されている。
【００１２】
発射機構において、セット板８の前面には先上り状に傾斜して設置されてパチンコ球を遊技盤面の遊技域へ案内する発射レール１０が結合されるとともに、セット板８の前側にはこのセット板８に内外方向への搖動可能に軸支された打球ハンマ１１が設置されている。
【００１３】
セット板８に開設された球送り口１２を通じて発射レール１０の基端部上の球発射起点２へ送り込まれたパチンコ球Ｐはばねの弾発力によって内方へ搖動した打球ハンマ１１によって叩打されて遊技域へ打出される。
【００１４】
打球ハンマ１１の近傍には上下方向へ搖動する受止め部１３ａを有し、セット板８の後側で軸１３ｂによって搖動可能に支持されて打球ハンマ１１が外方へ搖動したときに打球ハンマ１１に連動して内方へ搖動する球送りアーム１３が設置されるとともに、打球ハンマ１１の近傍には上下方向へ搖動して球待機給送部６で待機するパチンコ球Ｐのうちの先頭のパチンコ球Ｐを受止め若しくは受入れて球発射起点２へ放出する球受け部１４ａと、球送りアーム１３上に載置された錘り１４ｂとを有し、球送り口１２を貫通した状態で軸１４ｃによって搖動可能に支持された球送り制御片１４が設置されている。
【００１５】
打球ハンマ１１が内方の搖動端へ搖動した状態では球送り制御片１４の球受け部１４ａが上方の搖動端へ搖動して待機給送部６の先頭のパチンコ球Ｐを受止め、球発射起点２への先頭のパチンコ球Ｐの転落が球受け部１４ａによって阻止される。
【００１６】
打球ハンマ１１が外方へ搖動すると、球送りアーム１３の受止め部１３ａが上方へ搖動して球送り制御片１４の球受け部１４ａが下方へ搖動し、待機給送部６の先頭のパチンコ球Ｐが球受け部１４ａで受取られてから、球送り口１２を通じて前方へ放出されて球発射起点２へ送り込まれる。
【００１７】
遊技域へ打出されて入賞し、遊技盤の裏面を伝って転落したセーフ球、および、遊技盤のアウト口１５に落入して遊技盤の裏側へ誘導されたアウト球は裏カバー枠９に形成された球集合樋９ａで集められて下方へ誘導され、裏回収部３に回収される。
【００１８】
発射後発射レール１０側へ逆流したファール球は表回収部４に集められ、球送り口１２の内方でセット板８に開設された球通し口１６を通じて球待機給送部６の基端部へ送り込まれる。
【００１９】
裏回収部３から流下したパチンコ球Ｐを順次受入れて貯留し、必要時に球待機給送部６へ送り込む球貯留給送ユニット５はセット板８の後面に組付けられている。
【００２０】
球貯留給送ユニット５はパチンコ球Ｐを誘導する中空状の球誘導ケース２１を備え、この球誘導ケース２１にはセット板８にねじ止めされた前通路壁２１ａと、この前通路壁２１ａの後面にねじ止めされた後通路壁２１ｂとが形成され、この前後通路壁２１ａ，２１ｂ内には裏回収部３から流下したパチンコ球Ｐを球待機供給部６へ向けて誘導する球通路２２が形成されている。
【００２１】
球誘導ケース２１内の上端にはパチンコ球Ｐを受入れる球入口２２ａと、パチンコ球Ｐを送り出す球出口２２ｂとが隔壁２１ｃを隔てて開設されている。
【００２２】
球誘導ケース２１内の下端にはパチンコ球Ｐが上方から上方へＵターン状に折り返して通行する折り返し通路２３が形成されるとともに、球通路２２には球入口２２ａに導入されたパチンコ球Ｐが折り返し通路２３に進入するまでに１列となって下方へ通行する進入通路２４と、折り返し通路２３を通り抜けたパチンコ球Ｐが１列となって上方へ通行する脱出通路２５とが左右に隣り合って形成されている。
【００２３】
球通路２２には進入通路２４の途中に配設されて外方へ凸円弧状に湾曲した形状を有し、パチンコ球Ｐが円弧移動状に曲進して上方から下方へ通行する第１曲進路２４ａと、脱出通路２５の途中で第１曲進路２４ａの側方に配設されて外方へ凸円弧状に湾曲した形状を有し、パチンコ球Ｐが円弧移動状に曲進して下方から上方へ通行する第２曲進路２５ａが向い合わせ状に形成されている。
【００２４】
球誘ケース２１の後通路壁２１ｂの下端に前向き状に結合された球送りモータ２９の出力軸２９ａには折り返し通路２３に対向して設置されて折り返し通路２３へ進入したパチンコ球Ｐを順送りする球送りカム（球送り部材）２６が固定され、この球送りカム２６には１８０°の回転対称状に配設された１対の球受け部２６ａが形成されている。
【００２５】
球誘導ケース２１の後通路壁２１ｂの上下方向中央部には両曲進路２４ａ，２５ａの円弧中心を中心とする円形状の開口部２１ｄが開口されるとともに、後通路壁２１ｂの上下方向中央部には開口部２１ｄを閉塞する蓋板３１がねじ３５によって取外し可能に結合されている。
【００２６】
球誘導ケース２１内の上下方向中央部には進入通路２４の第１曲進路２４ａと脱出通路２５の第２曲進路２５ａとの間に回転可能に設置されて全体が蓋板３１によって背後からカバーされ、第１曲進路２４ａを曲進通行する複数個のパチンコ球Ｐおよび第２曲進路２５ａを曲進通行する複数個のパチンコ球Ｐに同時に接して接した各パチンコ球Ｐをクリーニングするローラ状のクリーニング部材２７が設置されている。
【００２７】
蓋板３１にはクリーニング部材２７を第１曲進路２４ａでのパチンコ球Ｐの進行方向および第２曲進路２５ａでのパチンコ球Ｐの進行方向と同方向へ回転駆動するクリーニングモータ３０が前向き状に取付けられている。
【００２８】
クリーニング部材２７は円盤状の基部２７ａと、前端が球誘導ケース２１の軸受部３６およびこの軸受部３６に嵌め込まれたブッシュ３７によって回転可能で挿脱可能に支持されて後端がクリーニングモータ３０の出力軸３０ａにスリーブ３３によって直結状に連結され、基部２７ａの中心部に貫挿された軸部２７ｂと、基端部が基部２７ａの外周面にそれぞれ固着された状態で軸部２７ｂの回りに配列された多数個の可撓性の研磨片２８を有し、圧縮変形可能に形成された研磨部２７ｃとを備えている。
【００２９】
クリーニング部材２７の各研磨片２８は超微粒子の研磨材およびつや出しワックスを起毛した長方形状の布片に含浸させて作成される。
【００３０】
クリーニング部材２７としては図５（Ａ）に示すように研磨部２７ｃの各研磨片２８がそれぞれクリーニング部材２７の半径方向へ延出されたクリーニングローラや、図５（Ｂ）に示すように各研磨片２８がそれぞれ一定の湾曲状態で一定方向へ倒されたクリーニングローラが適用される。
【００３１】
ねじ３５を緩めて蓋板３１を球誘導ケース２１からその後方へ取出すと、クリーニング部材２７の軸部２７ｂの前端がブッシュ３７から抜き取られ、クリーニング部材２７が開口部２１ｄを通り抜けてクリーニングモータ３０とともに球誘導ケース２１から取外される。
【００３２】
球送りモータ２９およびクリーニングモータ３０が回転して球送りカム２６およびクリーニング部材２７が回転駆動されると、進入通路２４を経て折り返し通路２３へ進入したパチンコ球Ｐが球送りカム２６によって１個づつ順送りされて脱出通路２５へ送り込まれ、脱出通路２５を通り抜けて球出口２２ｂから順に送り出されるとともに、進入通路２４の第１曲進路２４ａを通行する複数個のパチンコ球Ｐおよび脱出通路２５の第２曲進路２５ａを通行する複数個のパチンコ球Ｐが回転するクリーニング部材２７に同時に接して両曲進路２４ａ，２５ａの各パチンコ球がクリーニング部材２７によって同時にクリーニングされ、各パチンコ球に付着した汚れが除去される。
【００３３】
球誘導ケース２１の後通路壁２１ｂの下端にはパチンコ球Ｐから脱落した汚れを球誘導ケース２１外へ排出する排出口３９が開設されている。
【００３４】
球誘導ケース２１の一側方には球通路２２の脱出通路２５を通行するパチンコ球を検出する球通過センサ３２が設置されている。
【００３５】
球通路２２の球出口２２ｂから送り出されたパチンコ球は球出口２２ｂの近傍に設置されたガイド片３８上を伝って球待機給送部６の基端部へ送り込まれる。
【００３６】
続いて、上記した構成を有する実施例の作用と効果を説明する。
本例では循環式パチンコ機の基枠７のセット板８に組付けられた球貯留給送ユニット５の球誘導ケース２１の内部にはパチンコ球がＵターン状に折り返して通行する折り返し通路２３と、パチンコ球がこの折り返し通路２３へ進入するまでに通行する進入通路２４と、折り返し通路２３を通り抜けたパチンコ球が通行する脱出通路２５とを有する球通路２２を形成し、球誘導ケース２１に取付けられた球送りモータ２９の出力軸２９ａには球送りモータ２９によって回転駆動され、進入通路２４を通り抜けて折り返し通路２３へ進入したパチンコ球Ｐを脱出通路２５へ順送りする球送りカム２６を結合し、進入通路２４と脱出通路２５との間には圧縮変形可能に形成された研磨部２７ｃを有し、球誘導ケース２１によって回転可能で取外し可能に支持されて進入通路２４の第１曲進路２４ａを通行するパチンコ球Ｐと、脱出通路２５の第２曲進路２５ａを通行するパチンコ球Ｐとに回転しながら同時に接して接した各パチンコ球をクリーニングするクリーニング部材２７を設置し、このクリーニング部材２７をカバーした状態で球誘導ケース２１に取外し可能に結合された蓋板３１にはクリーニング部材２７を回転駆動するクリーニングモータ３０を取付けてある。
【００３７】
このため、球通路２２を通行する各パチンコ球をクリーニング部材２７の回転動作によって摺接抵抗を少くした状態で円滑かつ効果的にクリーニングすることができ、各パチンコ球に対する球磨き効果を高めて各パチンコ球を効果的に清浄化することができる。
【００３８】
また、蓋板３１を取外すことによってクリーニング部材２７を容易に取外すことができるので、クリーニング部材２７の交換作業を簡易化することができる。
【００３９】
さらに、クリーニング部材２７がパチンコ球に接する位置が常に変化するので、各パチンコ球に対する球磨き効果を均一化することができるとともに、クリーニング部材２７の各部の汚れ状態が平均化するので、クリーニング部材２７の交換頻度を少くすることができる。
【００４０】
また、パチンコ球がクリーニング時にクリーニング部材２７によって進行方向へ押送されるので、球送り部材を駆動する駆動源に加わる負荷を軽減することができる。
【００４１】
さらに、球磨き装置が各パチンコ機の機内にそれぞれ組込まれるので、遊技場のホール内に設置される従来のような大がかりな球磨き装置が不要となり、とくに、パチンコ機の台数が比較的少ないホールでの球磨き装置の使用が有効となる。
【００４２】
また、循環式パチンコ機の機内に封入された各パチンコ球を球磨きの都度パチンコ機外へ排出する必要がないので、球磨き作業を簡便化することができる。
【００４３】
また、パチンコ球が球通路２２の進入通路２４を通行するときおよび脱出通路２５を通行するときに各パチンコ球がそれぞれクリーニング部材２７に接して各パチンコ球が重復してクリーニングされるので、各パチンコ球に対するクリーニング効果を高めることができる。
【００４４】
次に、図６〜図８に示す本発明の第２実施例について説明すると、本例では球貯留供給ユニット５から第１実施例のクリーニングモータ３０が取除かれてクリーニング部材２７がフリー回転可能に設置されている外は第１実施例と同様に構成されている。
【００４５】
本例ではクリーニング部材２７は球通路２２、進入通路２４の第１曲進路２４ａを通行する各パチンコ球Ｐと、脱出通路２５の第２曲進路２５ａを通行する各パチンコ球Ｐとによって各パチンコ球Ｐの進行方向へ同時に押動されて回転する。
【００４６】
第２実施例によれば、クリーニング部材２７を回転駆動する駆動源が不要となるので、球磨き機構を簡略化してそのコストを節減することができる。
【００４７】
次に、図９〜図１１に示す本発明の第３実施例について説明すると、本例ではセット板８に組付けられた横型状の球貯留供給ユニット５Ｂの球誘導ケース２１Ｂ内にはその上端の左右方向中央部に開設されて裏回収部から流下したパチンコ球Ｐを受入れる球入口２２ａＢと、待機給送部６側の端部に開設されてパチンコ球を待機給送部６へ送り込む球出口２２ｂＢとを有する球通路２２Ｂが形成されている。
【００４８】
球通路２２Ｂには球入口２２ａＢに導入されたパチンコ球が下方へ通行してから横方向の斜め下方へ通行する進入通路２４Ｂと、進入通路２４Ｂを通り抜けたパチンコ球Ｐが横方向から横方向へＵターン状に折り返して通行する折り返し通路２３Ｂと、この折り返し通路２３Ｂから転り出たパチンコ球がほぼ横方向へ通行する脱出通路２５Ｂとが形成されている。
【００４９】
進入通路２４Ｂにはパチンコ球が転落する垂直路２４ｂＢと、パチンコ球が自重で転がるように斜め下方へ緩やかに傾斜した緩斜路２４ｃＢとが形成されている。
【００５０】
脱出通路２５Ｂにはパチンコ球が自重で転がるように斜め下方へ緩やかに傾斜した第１の緩斜路２５ｂＢおよび第２の緩斜路２５ｃＢと、パチンコ球が円弧移動状に曲進して通行するように円弧状に湾曲した曲進路２５ａＢとが形成されている。
【００５１】
球誘導ケース２１Ｂの後面の左右方向中央部付近に取付けられた球送りモータ２９Ｂの出力軸２９ａＢには３個の球受部２６ａＢを有し、脱出通路２５Ｂの第１の緩斜路２５ｂＢを通行するパチンコ球Ｐを球出口２２ｂＢ側へ順送りする球送りカム２６Ｂが固定されるとともに、球送りモータ２９Ｂの出力軸２９ａＢには伝動ギヤ４１が固定されている。
【００５２】
伝動ギヤ４１は球誘導ケース２１Ｂの後路壁２１ｂＢに挿着された支軸４３によって遊転可能に支持された第１中間ギヤ４２に噛合わされ、この第１中間ギヤ４２は後路壁２１ｂＢに挿着された支軸４５によって遊転可能に支持された第２中間ギヤ４４に噛合わされている。
【００５３】
球誘導ケース２１Ｂ内には脱出通路２５Ｂの曲進路２５ａＢの近傍に配設され、第１実施例の研磨部２７ｃと同様に形成された研磨部２７ｃＢを有し、曲進路２５ａＢを通行する各パチンコ球をクリーニングするクリーニング部材２７Ｂが設置されている。
【００５４】
クリーニング部材２７Ｂの基部２７ａＢに挿通された軸部２７ｂＢの前端は前通路壁２１ａＢの軸受部３６Ｂによって回転可能に支持され、軸部２７ｂＢの後通路壁２１ｂＢの上下係合部４６に解離可能に係止された１対の係止片３１ａＢおよびつまみ３１ｂＢを有し、後通路壁２１ｂＢの開口部２１ｄＢを閉塞する蓋板３１Ｂの中心部に挿通されたブッシュ４７によって回転可能に支持されている。
【００５５】
クリーニング部材２７Ｂの軸部２７ｂＢの後部には第２中間ギヤ４４に噛合わされた従動ギヤ４８が固定され、クリーニング部材２７Ｂは各ギヤ４１，４２，４４，４８によって球送りカム２６Ｂに共転可能に連繋された状態で曲進路２５ａＢを通行するパチンコ球Ｐの進行方向の反対方向へ回転駆動される。
【００５６】
球誘導ケース２１Ｂの前通路壁２１ａＢの球出口側端部付近には表回収部４で回収されたパチンコ球を球通路２２Ｂの球出口２２ｂＢ付近へ導入させる球通し口４９が開口されている。
【００５７】
球誘導ケース２１Ｂの後面には折り返し通路２３Ｂを通り抜けたパチンコ球を検出する球通過センサ３２Ｂが取付けられている。
【００５８】
第３実施例によれば、球送り部材２６Ｂおよびクリーニング部材２７Ｂを共通の駆動源によって回転駆動することができ、球磨き機構を簡略化してそのコストを節減することができるとともに、球送り部材２６Ｂおよびクリーニング部材２７Ｂを回転制御する制御回路を簡略化することができ、また、駆動源による発熱を低減させることができる。
【００５９】
また、パチンコ球Ｐが自重で斜め下方へ転るように形成された第１の緩斜路２５ｂＢを通行するパチンコ球Ｐを球送り部材２６Ｂが押送して押送される各パチンコ球Ｐの重量が球送り部材２６Ｂに加えられないので、各パチンコ球Ｐを僅かな押送力で順送りして球送り動作を円滑化することができるとともに、球送り部材２６Ｂを駆動する駆動源に加わる負荷を軽減して駆動源を小型化することができる。
【００６０】
さらに、蓋板３１Ｂを球誘導ケース２１Ｂからワンタッチで容易に取外すことができるので、クリーニング部材２７Ｂを交換する作業を簡易化することができる。
【図面の簡単な説明】
【図１】  本発明の第１実施例を示すもので、球貯留給送ユニット付近の裏面図である。
【図２】  第１実施例の球磨き装置を示す裏面図である。
【図３】  図２のＸ１−Ｘ１線断面図である。
【図４】  図３のＸ２−Ｘ２線断面図である。
【図５】  クリーニング部材を例示する正面図である。
【図６】  第２実施例の球磨き装置を示す裏面図である。
【図７】  図６のＸ３−Ｘ３線断面図である。
【図８】  図６のＸ４−Ｘ４線断面図である。
【図９】  第３実施例の球磨き装置を示す裏面図である。
【図１０】  図９のＸ５−Ｘ５線断面図である。
【図１１】  図９のＸ６−Ｘ６線断面図である。
【符号の説明】
３  裏回収部
５，５Ｂ  球貯留給送ユニット
２２，２２Ｂ  球通路
２３，２３Ｂ  折り返し通路
２４，２４Ｂ  進入通路
２４ａ，２５ａ，２５ａＢ  曲進路
２５，２５Ｂ  脱出通路
２６，２６Ｂ  球送りカム（球送り部材）
２７，２７Ｂ  クリーニング部材
２９，２９Ｂ  球送りモータ
【図１】
0003873143.tif 000002
【図２】
0003873143.tif 000003
【図３】
0003873143.tif 000004
【図４】
0003873143.tif 000005
【図５】
0003873143.tif 000006
【図６】
0003873143.tif 000007
【図７】
0003873143.tif 000008
【図８】
0003873143.tif 000009
【図９】
0003873143.tif 000010
【図１０】
0003873143.tif 000011
【図１１】
0003873143.tif 000012